(57)【要約】【課題】静止画や動画などのコンテンツを記録媒体から読み出して表示すること。【解決手段】コンテンツ表示装置１００は、記録媒体に記録された静止画データや動画データを読み出して表示装置に表示するためのコンテンツ表示装置であって、記録媒体には、一意に名前が付されたフォルダ内に、フォルダの名前と同じ名前が付された静止画データと動画データの少なくとも一方が記録されており、フォルダへのリンクが張られた表示項目を配置したメニュー画面を表示するメニュー画面表示手段と、メニュー画面に表示された表示項目の中から、使用者によって選択された表示項目に対応するフォルダを特定するフォルダ特定手段と、フォルダ特定手段によって特定されたフォルダ内に記録されている静止画データや動画データを読み出して表示する表示手段とを備える。【選択図】図１
2013152710.tif 000002
【特許請求の範囲】
【請求項１】
記録媒体に記録された静止画データや動画データを読み出して表示装置に表示するためのコンテンツ表示装置であって、
前記記録媒体には、一意に名前が付されたフォルダ内に、前記フォルダの名前と同じ名前が付された静止画データと動画データの少なくとも一方が記録されており、
前記フォルダへのリンクが張られた表示項目を配置したメニュー画面を表示するメニュー画面表示手段と、
前記メニュー画面に表示された前記表示項目の中から、使用者によって選択された表示項目に対応する前記フォルダを特定するフォルダ特定手段と、
前記フォルダ特定手段によって特定されたフォルダ内に記録されている前記静止画データや前記動画データを読み出して表示する表示手段とを備えることを特徴とするコンテンツ表示装置。
【請求項２】
請求項１に記載のコンテンツ表示装置において、
前記記録媒体に記録されている少なくとも一つのフォルダを、そのフォルダと同じ名前が付されているとともに、該フォルダ内にフォルダの名前と同じ名前が付された静止画データと動画データの少なくとも一方が記録されている別フォルダと置き換えるフォルダ置き換え手段をさらに備えることを特徴とするコンテンツ表示装置。
【請求項３】
請求項１に記載のコンテンツ表示装置において、
前記記録媒体には、一意に名前が付されたフォルダを複数含んだフォルダセットが記録されており、
前記フォルダセットを、そのフォルダセットを構成するフォルダと同じ名前が付されたフォルダで構成されているとともに、各フォルダ内にフォルダの名前と同じ名前が付された静止画データと動画データの少なくとも一方が記録されている別フォルダセットと置き換えるフォルダセット置き換え手段をさらに備えることを特徴とするコンテンツ表示装置。
【請求項４】
請求項１〜３のいずれか一項に記載のコンテンツ表示装置において、
前記表示手段は、前記フォルダ特定手段によって特定されたフォルダ内に前記静止画データのみが記録されている場合には前記静止画データを読み出して表示し、前記フォルダ特定手段によって特定されたフォルダ内に前記動画データのみが記録されている場合には前記動画データを読み出して表示し、前記フォルダ特定手段によって特定されたフォルダ内に前記静止画データと前記動画データが記録されている場合には、前記静止画データまたは前記動画データの一方を呼び出して表示するとともに、使用者からの静止画表示と動画表示の切り替え指示を受け付けて、静止画データと動画データの表示を切り替えることを特徴とするコンテンツ表示装置。
【請求項５】
請求項４に記載のコンテンツ表示装置において、
前記フォルダ特定手段によって特定されたフォルダ内に前記静止画データと前記動画データが記録されている場合に、前記静止画データと前記動画データのいずれを優先して表示するかの変更を受け付ける受付手段をさらに備えることを特徴とするコンテンツ表示装置。
【請求項６】
請求項１〜３のいずれか一項に記載のコンテンツ表示装置において、
前記表示手段は、前記フォルダ特定手段によって特定されたフォルダ内に前記静止画データのみが記録されている場合には前記静止画データを読み出して表示し、前記フォルダ特定手段によって特定されたフォルダ内に前記動画データのみが記録されている場合には前記動画データを読み出して表示し、前記フォルダ特定手段によって特定されたフォルダ内に前記静止画データと前記動画データが記録されている場合には、使用者に対して、前記静止画データと前記動画データのいずれを表示するかを選択するための画面を表示した上で、使用者によって選択された方のデータを表示することを特徴とするコンテンツ表示装置。
【請求項７】
請求項１〜３のいずれか一項に記載のコンテンツ表示装置において、
前記表示手段は、前記フォルダ特定手段によって特定されたフォルダ内に前記静止画データのみが記録されている場合には前記静止画データを読み出して表示し、前記フォルダ特定手段によって特定されたフォルダ内に前記動画データのみが記録されている場合には前記動画データを読み出して表示し、前記フォルダ特定手段によって特定されたフォルダ内に前記静止画データと前記動画データが記録されている場合には、前記静止画データと前記動画データとを並べて表示することを特徴とするコンテンツ表示装置。
【請求項８】
請求項１〜７のいずれか一項に記載のコンテンツ表示装置において、
前記静止画データや前記動画データを記録可能なフォルダの数は、あらかじめ設定されていることを特徴とするコンテンツ表示装置。
【請求項９】
請求項１〜８のいずれか一項に記載のコンテンツ表示装置において、
前記記憶媒体からデータがコピーまたは移動された記録装置が接続されている場合には、前記表示手段は、前記記録装置から前記静止画データや前記動画データを読み出して表示することを特徴とするコンテンツ表示装置。
【請求項１０】
請求項１〜９のいずれか一項に記載のコンテンツ表示装置において、
前記表示手段は、前記静止画データや前記動画データを外部の表示装置に表示させることを特徴とするコンテンツ表示装置。
【請求項１１】
コンピュータで読み取り可能な記録媒体であって、
前記記録媒体内に作成された一意に名前が付され、その名前と同じ名前が付された静止画データと動画データの少なくとも一方が記録されたフォルダへのリンクが張られた表示項目を配置したメニュー画面を表示するメニュー画面表示手順と、
前記メニュー画面に表示された前記表示項目の中から、使用者によって選択された表示項目に対応する前記フォルダを特定するフォルダ特定手順と、
前記フォルダ特定手順で特定したフォルダ内に記録されている前記静止画データや前記動画データを読み出して表示する表示手順とを、コンピュータに実行させるためのコンテンツ表示プログラムを記録した記録媒体。
【請求項１２】
請求項１１に記載のコンテンツ表示プログラムを記録した記録媒体において、
前記記録媒体に記録されている少なくとも一つのフォルダを、そのフォルダと同じ名前が付されているとともに、該フォルダ内にフォルダの名前と同じ名前が付された静止画データと動画データの少なくとも一方が記録されている別フォルダと置き換えるフォルダ置き換え手順をさらに有することを特徴とするコンテンツ表示プログラムを記録した記録媒体。
【請求項１３】
請求項１１に記載のコンテンツ表示プログラムを記録した記録媒体において、
前記記録媒体には、一意に名前が付されたフォルダを複数含んだフォルダセットが記録されており、
前記フォルダセットを、そのフォルダセットを構成するフォルダと同じ名前が付されたフォルダで構成されているとともに、各フォルダ内にフォルダの名前と同じ名前が付された静止画データと動画データの少なくとも一方が記録されている別フォルダセットと置き換えるフォルダセット置き換え手順をさらに有することを特徴とするコンテンツ表示プログラムを記録した記録媒体。
【請求項１４】
請求項１１〜１３のいずれか一項に記載のコンテンツ表示プログラムを記録した記録媒体において、
前記表示手順は、前記フォルダ特定手順で特定したフォルダ内に前記静止画データのみが記録されている場合には前記静止画データを読み出して表示し、前記フォルダ特定手順で特定したフォルダ内に前記動画データのみが記録されている場合には前記動画データを読み出して表示し、前記フォルダ特定手順で特定したフォルダ内に前記静止画データと前記動画データが記録されている場合には、前記静止画データまたは前記動画データの一方を呼び出して表示するとともに、使用者からの静止画表示と動画表示の切り替え指示を受け付けて、静止画データと動画データの表示を切り替えることを特徴とするコンテンツ表示プログラムを記録した記録媒体。
【請求項１５】
請求項１４に記載のコンテンツ表示プログラムを記録した記録媒体において、
前記フォルダ特定手順で特定したフォルダ内に前記静止画データと前記動画データが記録されている場合に、前記静止画データと前記動画データのいずれを優先して表示するかの変更を受け付ける受付手順をさらに有することを特徴とするコンテンツ表示プログラムを記録した記録媒体。
【請求項１６】
請求項１１〜１３のいずれか一項に記載のコンテンツ表示プログラムを記録した記録媒体において、
前記表示手順は、前記フォルダ特定手順で特定したフォルダ内に前記静止画データのみが記録されている場合には前記静止画データを読み出して表示し、前記フォルダ特定手順で特定したフォルダ内に前記動画データのみが記録されている場合には前記動画データを読み出して表示し、前記フォルダ特定手順で特定したフォルダ内に前記静止画データと前記動画データが記録されている場合には、使用者に対して、前記静止画データと前記動画データのいずれを表示するかを選択するための画面を表示した上で、使用者によって選択された方のデータを表示することを特徴とするコンテンツ表示プログラムを記録した記録媒体。
【請求項１７】
請求項１１〜１３のいずれか一項に記載のコンテンツ表示プログラムを記録した記録媒体において、
前記表示手順は、前記フォルダ特定手順で特定したフォルダ内に前記静止画データのみが記録されている場合には前記静止画データを読み出して表示し、前記フォルダ特定手順で特定したフォルダ内に前記動画データのみが記録されている場合には前記動画データを読み出して表示し、前記フォルダ特定手順で特定したフォルダ内に前記静止画データと前記動画データが記録されている場合には、前記静止画データと前記動画データとを並べて表示することを特徴とするコンテンツ表示プログラムを記録した記録媒体。
【請求項１８】
請求項１１〜１７のいずれか一項に記載のコンテンツ表示プログラムを記録した記録媒体において、
前記静止画データや前記動画データを記録可能なフォルダの数は、あらかじめ設定されていることを特徴とするコンテンツ表示プログラムを記録した記録媒体。
【請求項１９】
請求項１１〜１８のいずれか一項に記載のコンテンツ表示プログラムを記録した記録媒体において、
前記記憶媒体からデータがコピーまたは移動された記録装置が前記コンピュータに接続されている場合には、前記表示手順は、前記記録装置から前記静止画データや前記動画データを読み出して表示することを特徴とするコンテンツ表示プログラムを記録した記録媒体。
【請求項２０】
請求項１１〜１９のいずれか一項に記載のコンテンツ表示プログラムを記録した記録媒体において、
前記表示手順は、前記静止画データや前記動画データを前記コンピュータに接続された外部の表示装置に表示させることを特徴とするコンテンツ表示プログラムを記録した記録媒体。
【請求項２１】
請求項１１〜２０のいずれかに記載の記録媒体に記録されるコンテンツ表示プログラム。
【発明の詳細な説明】
【技術分野】
【０００１】
本発明は、コンテンツ表示装置、コンテンツ表示プログラムを記録した記録媒体、およびコンテンツ表示プログラムに関する。
【背景技術】
【０００２】
次のような画像処理装置が知られている。この画像処理装置は、動画像データと静止画像データとが混在して記録されている場合に、動画像データと静止画像データの表示を制御する（例えば、特許文献１）。
【先行技術文献】
【特許文献】
【０００３】
【特許文献１】特開２００９−２７８５４８号公報
【発明の概要】
【発明が解決しようとする課題】
【０００４】
しかしながら、従来の画像処理装置では、記録された静止画や動画を簡易な手法により表示させるための方法については何ら検討されていなかった。
【課題を解決するための手段】
【０００５】
本発明によるコンテンツ表示装置は、記録媒体に記録された静止画データや動画データを読み出して表示装置に表示するためのコンテンツ表示装置であって、記録媒体には、一意に名前が付されたフォルダ内に、フォルダの名前と同じ名前が付された静止画データと動画データの少なくとも一方が記録されており、フォルダへのリンクが張られた表示項目を配置したメニュー画面を表示するメニュー画面表示手段と、メニュー画面に表示された表示項目の中から、使用者によって選択された表示項目に対応するフォルダを特定するフォルダ特定手段と、フォルダ特定手段によって特定されたフォルダ内に記録されている静止画データや動画データを読み出して表示する表示手段とを備えることを特徴とする。
本発明によるコンテンツ表示プログラムを記録した記録媒体は、コンピュータで読み取り可能な記録媒体であって、記録媒体内に作成された一意に名前が付され、その名前と同じ名前が付された静止画データと動画データの少なくとも一方が記録されたフォルダへのリンクが張られた表示項目を配置したメニュー画面を表示するメニュー画面表示手順と、メニュー画面に表示された表示項目の中から、使用者によって選択された表示項目に対応するフォルダを特定するフォルダ特定手順と、フォルダ特定手順で特定したフォルダ内に記録されている静止画データや動画データを読み出して表示する表示手順とを、コンピュータに実行させるためのコンテンツ表示プログラムを記録したことを特徴とする。
本発明によるコンテンツ表示プログラムは、上記記録媒体に記録されていることを特徴とする。
【発明の効果】
【０００６】
本発明によれば、使用者は、一意に名前を付したフォルダ内に、そのフォルダ名と同じ名前を付して静止画データや動画データを記録しておくだけで、メニュー画面内から表示する静止画や動画を選択することができるため、簡易に静止画や動画を表示させることができる。
【図面の簡単な説明】
【０００７】
【図１】コンテンツ表示装置の一実施の形態の構成を示すブロック図である。
【図２】トップ画面の具体例を示す図である。
【図３】メニュー画面の具体例を示す図である。
【図４】静止画表示画面の具体例を示す第１の図である。
【図５】動画表示画面の具体例を示す第１の図である。
【図６】記録媒体内のフォルダ構造の具体例を模式的に示した第１の図である。
【図７】記録媒体内のフォルダ構造の具体例を模式的に示した第２の図である。
【図８】記録媒体内のフォルダ構造の具体例を模式的に示した第３の図である。
【図９】静止画表示画面の具体例を示す第２の図である。
【図１０】動画表示画面の具体例を示す第２の図である。
【図１１】コンテンツ表示処理の流れを示すフローチャート図である。
【発明を実施するための形態】
【０００８】
図１は、本実施の形態におけるコンテンツ表示装置の一実施の形態の構成を示すブロック図である。コンテンツ表示装置１００としては、例えば、パーソナルコンピュータが用いられる。コンテンツ表示装置１００は、操作部材１０１と、接続ＩＦ１０２と、制御装置１０３と、ＨＤＤ（ハードディスクドライブ）１０４と、モニタ１０５とを備えている。
【０００９】
操作部材１０１は、コンテンツ表示装置１００の操作者によって操作される種々の装置、例えばキーボードやマウスを含む。
【００１０】
接続ＩＦ１０２は、コンテンツ表示装置１００に外部の周辺機器等を接続するためのインターフェースである。接続ＩＦ１０２としては、例えば、ＵＳＢ（Ｕｎｉｖｅｒｓａｌ  Ｓｅｒｉａｌ  Ｂｕｓ）接続により接続可能な周辺機器を接続するためのＵＳＢスロットを備えたＵＳＢモジュールや、Ｂｌｕｅｔｏｏｏｔｈ（登録商標）通信により接続可能な周辺機器を無線接続するためのＢｌｕｅｔｏｏｏｔｈ（登録商標）モジュールが用いられる。
【００１１】
本実施の形態１００では、この接続ＩＦ１０２を介して記録媒体１０２ａとの間でデータの送受信が行われる。例えば、記録媒体１０２ａとしてＵＳＢメモリを用いる場合には、該ＵＳＢメモリをＵＳＢスロットに接続することにより、ＵＳＢメモリからデータを読み出したり、ＵＳＢメモリにデータを書き込んだりすることが可能となる。また、記録媒体１０２ａとしてＣＤ−ＲＯＭやＤＶＤ−ＲＯＭを用いる場合には、ＵＳＢスロットにＣＤ−ＲＯＭやＤＶＤ−ＲＯＭからデータを読み出すためのドライブを接続することにより、ＣＤ−ＲＯＭやＤＶＤ−ＲＯＭからデータを読み出すことが可能となる。この接続ＩＦ１０２を介した記録媒体１０２ａとの間のデータ送受信は、制御装置１０３によって制御される。
【００１２】
制御装置１０３は、ＣＰＵ、メモリ、およびその他の周辺回路によって構成され、コンテンツ表示装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ１０２を介して記録媒体１０２ａから読み込まれたデータは、バッファメモリに一時的に記録される。
【００１３】
ＨＤＤ１０４は、コンテンツ表示装置１００が蓄える種々のデータや、制御装置１０３が実行するためのプログラムのデータ等を記録するための記録装置である。なお、ＨＤＤ１０４に記録されるプログラムのデータは、ＣＤ−ＲＯＭやＤＶＤ−ＲＯＭなどの記録媒体１０２ａに記録されて提供され、使用者が当該記録媒体１０２ａを用いてプログラムのデータをＨＤＤ１０４にインストールすることによって、制御装置１０３がプログラムを実行できるようになる。
【００１４】
モニタ１０５は、例えば液晶モニタであって、制御装置１０３から出力される種々の表示用データが表示される。
【００１５】
本実施の形態では、使用者は、あらかじめ記録媒体１０２ａに、静止画データや動画データのコンテンツデータを記録しておく。ここでは、記録媒体１０２ａとしてＵＳＢメモリを使用する場合を例に説明する。この記録媒体１０２ａには、表示する静止画データや動画データを選択するためのランチャープログラムが記録されており、制御装置１０３は、接続ＩＦ１０２に記録媒体１０２ａが接続されたことを検出したときに、記録媒体１０２ａからランチャープログラムを読み出して実行する。これにより、モニタ１０５には、図２に示すようなトップ画面が表示される。
【００１６】
図２に示すように、トップ画面上には、メニューボタン２ａと終了ボタン２ｂが配置されている。制御装置１０３は、使用者によって終了ボタン２ｂがマウス操作等によって押下された場合には、トップ画面の表示を終了して、ランチャープログラムの実行を終了する。一方、制御装置１０３は、使用者によってメニューボタン２ａが押下された場合には、モニタ１０５に図３に示すメニュー画面を表示する。また、トップ画面上の表示領域２ｃには、記録媒体１０２ａに記録されているコンテンツデータの内容を表したタイトル等の種々の情報が表示可能となっている。
【００１７】
図３に示すように、メニュー画面上には、記録媒体１０２ａ内の静止画データや動画データが記録されているフォルダを選択するためのフォルダ選択ボタン３ａ〜３ｉと、終了ボタン３ｊが配置されている。制御装置１０３は、使用者によって終了ボタン３ｊがマウス操作等によって押下された場合には、メニュー画面の表示を終了して、図２に示したトップ画面に切り替える。一方、使用者によってフォルダ選択ボタン３ａ〜３ｉのいずれかが選択された場合には、選択されたボタンに対応したフォルダ内に記録されている静止画データや動画データに基づくコンテンツを表示する。これにより、例えば、図４に示す静止画表示画面や、図５に示す動画表示画面がモニタ１０５に表示される。また、メニュー画面上の表示領域３ｋにもトップ画面上の表示領域２ｃと同様に、記録媒体１０２ａに記録されているコンテンツデータの内容を表したタイトル等の種々の情報が表示可能となっている。なお、図４に示す静止画表示画面や、図５に示す動画表示画面については、後述する。
【００１８】
以下、本実施の形態におけるコンテンツ表示処理について説明する。記録媒体１０２ａには、あらかじめメニュー画面上に配置されたフォルダ選択ボタンの数と同数のフォルダが作成されており、使用者によって、各フォルダ内に静止画データおよび動画データの少なくとも一方が記録されているものとする。そして、フォルダ内に記録される静止画データや動画データには、フォルダ名と同じファイル名が付されるものとする。なお、本実施の形態におけるフォルダ名と同じファイル名とは、フォルダ名を構成する文字列と、ファイル名の拡張子を除いた部分を構成する文字列とが同じことを意味する。
【００１９】
例えば、記録媒体１０２ａであるＵＳＢメモリ内には、図６に示すように、ランチャープログラムを構成するデータを記録したランチャープログラムデータ記録用フォルダと、静止画データや動画データのコンテンツデータを記録するためのコンテンツデータ記録用フォルダが作成されている。そして、ＵＳＢメモリの提供者は、メニュー画面のレイアウトを事前に作成して、そのデータをランチャープログラムデータ記録用フォルダ内に記録するとともに、メニュー画面上に配置したフォルダ選択ボタンの数に応じたフォルダをコンテンツデータ記録用フォルダに作成しておく。その際、ＵＳＢメモリの提供者は、メニュー画面上に配置したフォルダ選択ボタンのそれぞれに対して、対応するフォルダへのリンクを張るとともに、各フォルダ選択ボタンが押下された場合には、リンク先のフォルダ内に記録されている、フォルダ名と同じファイル名の静止画データまたは動画データを表示するように設定しておく。
【００２０】
ここでは、ランチャープログラムデータ記録用フォルダ内には、図３に示したレイアウトでメニュー画面を表示するためのデータが記録されており、コンテンツデータ記録用フォルダには、図７に示すように、メニュー画面上に配置されているフォルダ選択ボタン３ａ〜３ｉのそれぞれに対応したフォルダ、すなわちフォルダ名が「フォルダ１」〜「フォルダ９」の９つのフォルダが作成されている。なお、図３のメニュー画面上に配置したフォルダ選択ボタン上に表示される文字列は、これに限定されず、例えば、各フォルダに記録されている静止画データや動画データの内容を示すものとしてもよい。また、図７に示した各フォルダのフォルダ名は一例であり、これに限定されるものではない。
【００２１】
図３に示したメニュー画面上に配置されたフォルダ選択ボタン３ａ〜３ｉのそれぞれには、図７に示した各フォルダへのリンクが張られており、制御装置１０３は、メニュー画面上で使用者によっていずれかのフォルダ選択ボタンが押下された場合に、そのフォルダ選択ボタンに対応したフォルダ内の、フォルダ名と同じ名前が付された静止画データや動画データを表示対象として特定するように設定されている。
【００２２】
具体的には、フォルダ選択ボタン「フォルダ１」３ａには、図７に示したフォルダ１へのリンクが張られており、フォルダ選択ボタン「フォルダ２」３ｂには、図７に示したフォルダ２へのリンクが張られており、フォルダ選択ボタン「フォルダ３」３ｃには、図７に示したフォルダ３へのリンクが張られている。また、フォルダ選択ボタン「フォルダ４」３ｄには、図７に示したフォルダ４へのリンクが張られており、フォルダ選択ボタン「フォルダ５」３ｅには、図７に示したフォルダ５へのリンクが張られており、フォルダ選択ボタン「フォルダ６」３ｆには、図７に示したフォルダ６へのリンクが張られている。また、フォルダ選択ボタン「フォルダ７」３ｇには、図７に示したフォルダ７へのリンクが張られており、フォルダ選択ボタン「フォルダ８」３ｈには、図７に示したフォルダ８へのリンクが張られており、フォルダ選択ボタン「フォルダ９」３ｉには、図７に示したフォルダ９へのリンクが張られている。
【００２３】
ＵＳＢメモリの提供を受けた使用者は、ＵＳＢメモリ内のコンテンツデータ記録用フォルダ内に作成されている各フォルダ内に、メニュー画面から呼び出して表示させたい静止画データや動画データのコンテンツデータを記録する。このとき、使用者は、ランチャープログラムのメニュー画面から静止画データや動画データを呼び出して表示できるようにするために、各フォルダに記録するコンテンツデータのファイル名を、記録するフォルダの名前と一致させておく。
【００２４】
例えば、図８に示す例では、フォルダ名が「フォルダ１」のフォルダには、ファイル名が「フォルダ１．ｊｐｇ」である静止画データと、ファイル名が「フォルダ１．ａｖｉ」である動画データとが記録されている。フォルダ名が「フォルダ２」のフォルダには、ファイル名が「フォルダ２．ｊｐｇ」である静止画データと、ファイル名が「フォルダ２．ａｖｉ」である動画データとが記録されている。フォルダ名が「フォルダ３」のフォルダには、ファイル名が「フォルダ３．ｊｐｇ」である静止画データと、ファイル名が「フォルダ３．ａｖｉ」である動画データとが記録されている。フォルダ名が「フォルダ４」のフォルダには、ファイル名が「フォルダ４．ｊｐｇ」である静止画データと、ファイル名が「フォルダ４．ａｖｉ」である動画データとが記録されている。
【００２５】
フォルダ名が「フォルダ５」のフォルダには、ファイル名が「フォルダ５．ｊｐｇ」である静止画データが記録されている。フォルダ名が「フォルダ６」のフォルダには、ファイル名が「フォルダ６．ｊｐｇ」である静止画データが記録されている。フォルダ名が「フォルダ７」のフォルダには、ファイル名が「フォルダ７．ｊｐｇ」である静止画データが記録されている。フォルダ名が「フォルダ８」のフォルダには、ファイル名が「フォルダ８．ａｖｉ」である動画データが記録されている。フォルダ名が「フォルダ９」のフォルダには、ファイル名が「フォルダ９．ａｖｉ」である動画データが記録されている。
【００２６】
このように、あらかじめ用意されているフォルダ内に、フォルダ名と同じファイル名を付けてコンテンツデータを記録しておけば、メニュー画面からコンテンツデータを呼び出して表示させることができるようにしたため、パソコン操作に詳しくない人物でも容易にランチャープログラムへのコンテンツデータの登録を行うことができる。
【００２７】
上記のように使用者によるフォルダへのコンテンツデータの記録が完了すると、図３に示したメニュー画面上からのコンテンツデータの呼び出しが可能となる。制御装置１０３は、メニュー画面上で使用者によっていずれかのフォルダ選択ボタンが押下されたことを検出した場合には、押下されたフォルダ選択ボタンに対してリンクが張られているフォルダを特定し、特定したフォルダの名称と同じファイル名が付されている静止画データまたは動画データを表示対象として特定する。そして、制御装置１０３は、表示対象として特定したコンテンツデータが静止画データである場合には、フォルダ内から静止画データを読み出して、図４に示す静止画表示画面内の静止画表示領域４ａ内に表示する。例えば、制御装置１０３は、使用者によってフォルダ選択ボタン「フォルダ５」３ｅが押下されたことを検出した場合には、コンテンツデータ記録用フォルダ内の「フォルダ５」内に記録されている、静止画データ「フォルダ５．ｊｐｇ」を表示対象として特定して、図４に示す静止画表示画面内の静止画表示領域４ａ内に表示する。また、静止画表示画面には、終了ボタン４ｂが配置されており、使用者は、終了ボタン４ｂを押下することにより、静止画表示画面の表示を終了してメニュー画面に戻すことができる。
【００２８】
一方、制御装置１０３は、表示対象として特定したコンテンツデータが動画データである場合には、フォルダ内から動画データを読み出して、図５に示す動画表示画面内の動画表示領域５ａ内に表示する。例えば、制御装置１０３は、使用者によってフォルダ選択ボタン「フォルダ８」３ｈが押下されたことを検出した場合には、コンテンツデータ記録用フォルダ内の「フォルダ８」内に記録されている、動画データ「フォルダ８．ａｖｉ」を表示対象として特定して、図５に示す動画表示画面内の静止画表示領域５ａ内に表示する。
【００２９】
動画表示画面には、再生ボタン５ｂと、一時停止ボタン５ｃと、停止ボタン５ｄと、終了ボタン５ｅとが配置されている。使用者は、再生ボタン５ｂを押下することにより、読み出された動画を再生することができる。また、使用者は、動画の再生中に一時停止ボタン５ｃを押下することにより、動画の再生を一時停止することができ、動画の再生中に停止ボタン５ｄを押下することにより、動画の再生を終了させることができる。また、使用者は、終了ボタン５ｅを押下することにより、動画表示画面の表示を終了してメニュー画面に戻すことができる。
【００３０】
また、制御装置１０３は、押下されたフォルダ選択ボタンに対してリンクが張られているフォルダ内に静止画データと動画データとが記録されている場合には、あらかじめ優先的に表示するように設定された一方のデータを表示対象として特定する。どちらを優先的に表示するかは、あらかじめ使用者またはＵＳＢメモリの提供者によって設定されているものとし、制御装置１０３は、設定内容に応じてどちらを優先して表示するかを切り替える。そして、制御装置１０３は、いずれか一方のデータを優先的に表示した場合には、その表示画面上に切り替えボタンを表示する。
【００３１】
例えば、制御装置１０３は、静止画データを優先的に表示した場合には、図９に示すように、切り替えボタン９ａを配置した静止画表示画面上に静止画データを表示する。そして、制御装置１０３は、使用者によって、静止画表示画面上で切り替えボタン９ａが押下されたことを検出した場合には、図１０に示すように、切り替えボタン１０ａが配置された動画表示画面をモニタ１０５上に表示して、優先的に表示した静止画データと同じフォルダ内に記録されている動画データを表示する。また、制御装置１０３は、使用者によって、動画表示画面上で切り替えボタン１０ａが押下されたことを検出した場合には、モニタ１０５上の表示を図９に示した静止画表示画面に切り替える。これによって、押下されたフォルダ選択ボタンに対応するフォルダ内に静止画データと動画データとが記録されている場合でも、使用者は両方のデータを切り替えて表示させることができる。
【００３２】
図１１は、本実施の形態におけるコンテンツ表示処理の流れを示すフローチャートである。図１１に示す処理は、使用者によって記録媒体１０２ａであるＵＳＢメモリが接続ＩＦ１０２に接続されると起動するプログラムとして、制御装置１０３によって実行される。
【００３３】
ステップＳ１０において、制御装置１０３は、接続ＩＦ１０２に接続されたＵＳＢメモリのランチャープログラムデータ記録用フォルダからランチャープログラムの実行ファイルを読み出して実行することにより、モニタ１０５に図２に示したトップ画面を表示する。その後、ステップＳ２０へ進む。
【００３４】
ステップＳ２０では、制御装置１０３は、使用者によって、トップ画面上に配置された終了ボタン２ｂが押下されたか否かを判断する。ステップＳ２０で肯定判断した場合には、処理を終了する。これに対して、ステップＳ２０で否定判断した場合には、ステップＳ３０へ進む。
【００３５】
ステップＳ３０では、制御装置１０３は、使用者によって、トップ画面上に配置されたメニューボタン２ａが押下されたか否かを判断する。ステップＳ３０で否定判断した場合には、ステップＳ２０へ戻る。これに対して、ステップＳ３０で肯定判断した場合には、ステップＳ４０へ進む。
【００３６】
ステップＳ４０では、制御装置１０３は、図３に示したメニュー画面をモニタ１０５上に表示する。その後、ステップＳ５０へ進む。
【００３７】
ステップＳ５０では、制御装置１０３は、使用者によって、メニュー画面上に配置された終了ボタン３ｊが押下されたか否かを判断する。ステップＳ５０で肯定判断した場合には、ステップＳ１０へ戻り、制御装置１０３は、モニタ１０５上の表示をトップ画面に戻す。これに対して、ステップＳ５０で否定判断した場合には、ステップＳ６０へ進む。
【００３８】
ステップＳ６０では、制御装置１０３は、使用者によって、メニュー画面上に配置されたフォルダ選択ボタンのいずれかが押下されたかを判断する。ステップＳ６０で否定判断した場合には、ステップＳ５０へ戻る。これに対して、ステップＳ６０で肯定判断した場合には、ステップＳ７０へ進む。
【００３９】
ステップＳ７０では、制御装置１０３は、押下されたフォルダ選択ボタンに対してリンクが張られているフォルダを特定し、特定したフォルダの名称と同じ名称が付されている静止画データまたは動画データを表示対象のコンテンツデータとして特定する。その後、ステップＳ８０へ進む。
【００４０】
ステップＳ８０では、制御装置１０３は、ステップＳ７０で表示対象として特定したコンテンツデータに静止画データが含まれるか否かを判断する。ステップＳ８０で肯定判断した場合には、ステップＳ９０へ進み、図４に示した静止画表示画面をモニタ１０５上に表示するとともに、表示対象の静止画データをフォルダから読み出して静止画表示領域４ａ内に表示する。その後、後述するステップＳ１１０へ進む。
【００４１】
一方、ステップＳ８０で否定判断した場合には、ステップＳ１００へ進む。ステップＳ１００では、図５に示した動画表示画面をモニタ１０５上に表示するとともに、表示対象の動画データをフォルダから読み出して動画表示領域５ａ内に表示する。制御装置１０３は、動画表示画面を表示している間は、使用者による再生ボタン５ｂ、一時停止ボタン５ｃ、または停止ボタン５ｄの操作を受け付け、操作されたボタンに応じた処理を実行する。その後、ステップＳ１１０へ進む。
【００４２】
なお、このステップＳ８０〜Ｓ１００の処理によれば、ステップＳ７０で特定したフォルダ内に静止画データと動画データの両方が記録されている場合には、静止画データが優先して表示されることになる。しかしながら、動画データを優先して表示するように設定されている場合には、そのように処理されるようにステップＳ８０〜Ｓ１００の処理を変更すればよい。
【００４３】
ステップＳ１１０では、制御装置１０３は、ステップＳ９０で表示した静止画表示画面に配置されている切り替えボタン９ａ、またはステップＳ１００で表示した動画表示画面上に配置されている切り替えボタン１０ａが使用者によって押下されたか否かを判断する。なお、ステップＳ７０で特定したフォルダ内に静止画データと動画データの両方が記録されている場合には、図９や図１０に示したように静止画表示画面には切り替えボタン９ａが配置され、動画表示画面には切り替えボタン１０ａが配置されるため、制御装置１０３は、ステップＳ１１０において、使用者によってこれらの切り替えボタンが押下されたか否かを判断することになる。一方、ステップＳ７０で特定したフォルダ内に静止画データと動画データのいずれか一方しか記録されていない場合には、図３や図４に示したように静止画表示画面や動画表示画面には切り替えボタンは配置されないため、制御装置１０３は、ステップＳ１１０で常に否定判断することになる。
【００４４】
ステップＳ１１０で否定判断した場合には、後述するステップＳ１３０へ進む。これに対して、ステップＳ１１０で肯定判断した場合には、ステップＳ１２０へ進む。
【００４５】
ステップＳ１２０では、制御装置１０３は、上述したように、使用者による切り替えボタン９ａまたは１０ａの操作に基づいて、静止画表示画面と動画表示画面とを切り替える。その後、ステップＳ１３０へ進む。
【００４６】
ステップＳ１３０では、制御装置１０３は、静止画表示画面上に配置されている終了ボタン４ｂ、または動画表示画面上に配置されている終了ボタン５ｅが使用者によって押下されたか否かを判断する。ステップＳ１３０で否定判断した場合には、ステップＳ１１０へ戻る。これに対して、ステップＳ１３０で肯定判断した場合には、ステップＳ４０へ戻り、制御装置１０３は、モニタ１０５上の表示をメニュー画面に戻す。
【００４７】
以上説明した本実施の形態によれば、以下のような作用効果を得ることができる。
（１）記録媒体１０２ａには、一意に名前が付されたフォルダ内に、フォルダの名前と同じ名前が付された静止画データと動画データの少なくとも一方が記録されており、制御装置１０３は、フォルダへのリンクが張られた表示項目であるフォルダ選択ボタンを配置したメニュー画面を表示し、メニュー画面に表示されたフォルダ選択ボタンの中から、使用者によって選択されたフォルダ選択ボタンに対応するフォルダを特定して、特定したフォルダ内に記録されている静止画データや動画データを読み出して表示するようにした。このように、あらかじめ用意されているフォルダ内に、フォルダ名と同じファイル名を付けて静止画データや動画データを記録しておけば、メニュー画面からこれらのコンテンツデータを呼び出して表示させることができるようにしたため、パソコン操作に詳しくない人物でも容易にランチャープログラムへのコンテンツデータの登録を行うことができる。
【００４８】
（２）制御装置１０３は、特定したフォルダ内に静止画データのみが記録されている場合には静止画表示画面上に静止画を表示し、特定したフォルダ内に動画データのみが記録されている場合には動画表示画面上に動画を表示するようにした。また、特定したフォルダ内に静止画データと動画データが記録されている場合には、静止画データと動画データのうち、あらかじめ優先的に表示するように設定されているデータを表示するための画面を表示するとともに、それぞれの表示画面上に切り替えボタンを配置して、静止画表示と動画表示を切り替えられるようにした。これによって、フォルダ内に静止画データと動画データが記録されている場合には、使用者は、静止画表示と動画表示とを任意に切り替えることが可能となる。
【００４９】
（３）記録媒体１０２ａ内の静止画データや動画データを記録可能なフォルダの数は、あらかじめ設定されているようにした。これによって、ＵＳＢメモリ等の記録媒体１０２ａを提供する提供者は、あらかじめコンテンツデータ記録用フォルダ内に所定数のフォルダを作成してそれぞれに一意の名前を付しておき、ランチャープログラムデータ記録用フォルダ内に記録したランチャープログラムにおいて、メニュー画面に対してコンテンツデータ記録用フォルダ内に作成した各フォルダへアクセスするためのフォルダ選択ボタンを配置しておくことができるため、コンテンツデータを表示するためのランチャープログラムをテンプレート化して使用者に配布することができる。また、ＵＳＢメモリを受け取った使用者は、あらかじめ用意されているフォルダ内に、そのフォルダ名と同じ名前を付したコンテンツデータを記録するだけで、ランチャープログラムからの呼び出しが可能となるため、ランチャープログラムを容易に使用することが可能となる。
【００５０】
例えば、写真館でこのテンプレート化したランチャープログラムを記録した記録媒体１０２ａを来店客に配布するようにすれば、来店客は、自宅で写真館で撮影した写真の静止画データに、フォルダ名と同じ名前のファイル名を付して記録するだけで、容易にランチャープログラムからの静止画データの表示が可能となる。また、写真館の中には、来店客自身による写真の撮影は禁止されているが、持参したビデオカメラを用いた動画の撮影は認められている写真館もあるため、来店客自身が撮影した動画データに、フォルダ名と同じ名前のファイル名を付して記録することにより、容易にランチャープログラムからの動画データの表示も可能となる。これにより、写真館は、ランチャープログラムの提供サービスを活用して、顧客の獲得を有利に進めることができる。
【００５１】
また、通常、来店客自身が撮影する動画データは、写真館の売り上げには結びつかないが、ランチャープログラムから動画データも表示可能とすることにより、サービスの向上を図ることができるため、来店客の増加により間接的に売り上げの増加に結び付けることができる。
【００５２】
さらに、テンプレートを作成する際に各フォルダに付けるフォルダ名を、子供の成長に合わせたもの、例えば、「誕生」、「生後１か月」、「生後３か月」、「生後６か月」、「１歳の誕生日」等としておき、各フォルダに対応するフォルダ選択ボタン上にフォルダ名と同様の文字列を表示しておくことにより、使用者は、各フォルダ内に、そのフォルダ名に応じたタイミングで撮影した写真や動画を記録したいと考えるようになるため、写真館への継続的な来店につなげることができる。
【００５３】
写真館では、使用者が写真館に来店して写真撮影を行うことが多い特定の行事、例えば七五三や入学式などの行事用に、特別にテンプレート化したランチャープログラムを記録したＵＳＢメモリを提供するようにすれば、行事の度に来店を促すことができるため、固定客の獲得に結び付けることができる。
【００５４】
―変形例―
なお、上述した実施の形態の在庫管理装置は、以下のように変形することもできる。
（１）上述した実施の形態では、コンテンツ表示装置１００としてパーソナルコンピュータを用いる例について説明したが、これに限定されない。例えば、携帯電話やスマートフォン等の携帯情報端末や、その他の情報端末をコンテンツ表示装置として用いてもよい。
【００５５】
（２）上述した実施の形態では、記録媒体１０２ａとしてＵＳＢメモリを使用した場合のコンテンツ表示処理について説明した。しかしながら、種々のメモリカード、例えばＳＤカード等の他の記録媒体を用いる場合にも本発明は適用可能である。
【００５６】
（３）上述した実施の形態では、制御装置１０３は、特定したフォルダ内に静止画データのみが記録されている場合には静止画表示画面上に静止画を表示し、特定したフォルダ内に動画データのみが記録されている場合には動画表示画面上に動画を表示するようにした。また、特定したフォルダ内に静止画データと動画データが記録されている場合には、静止画データと動画データのうち、あらかじめ優先的に表示するように設定されているデータを表示するための画面を表示するとともに、それぞれの表示画面上に切り替えボタンを配置して、静止画表示と動画表示を切り替えられる例について説明した。しかしながら、制御装置１０３は、特定したフォルダ内に静止画データと動画データが記録されている場合には、使用者に対して、静止画データと動画データのいずれを表示するかを選択するための画面を表示した上で、使用者によって選択された方のデータを表示するようにしてもよい。また、この場合も静止画表示画面および動画表示画面上に表示画面上に切り替えボタンを配置して、それぞれの表示画面上から静止画表示と動画表示を切り替えられるようにしてもよい。
【００５７】
（４）上述した実施の形態では、制御装置１０３は、特定したフォルダ内に静止画データのみが記録されている場合には静止画表示画面上に静止画を表示し、特定したフォルダ内に動画データのみが記録されている場合には動画表示画面上に動画を表示するようにした。また、特定したフォルダ内に静止画データと動画データが記録されている場合には、静止画データと動画データのうち、あらかじめ優先的に表示するように設定されているデータを表示するための画面を表示するとともに、それぞれの表示画面上に切り替えボタンを配置して、静止画表示と動画表示を切り替えられる例について説明した。しかしながら、制御装置１０３は、特定したフォルダ内に静止画データと動画データが記録されている場合には、モニタ１０５上に一画面内に静止画と動画を並べて表示できる静止画・動画表示画面を表示し、該静止画・動画表示画面上に静止画データと動画データとを並べて表示するようにしてもよい。
【００５８】
（５）上述した実施の形態では、メニュー画面上には、９つのフォルダ選択ボタン３ａ〜３ｉが配置され、記録媒体１０２ａ内のコンテンツデータ記録用フォルダには、「フォルダ１」〜「フォルダ９」の９つのフォルダが作成されている例について説明した。しかしながら、メニュー画面上に配置するフォルダ選択ボタンの数、およびコンテンツデータ記録用フォルダ内に作成するフォルダの数は、９つに限定されるものではない。
【００５９】
（６）上述した実施の形態では、コンテンツデータ記録用フォルダには、メニュー画面上に配置されているフォルダ選択ボタンそれぞれに対応したフォルダが作成されており、メニュー画面上に配置されたフォルダ選択ボタンのそれぞれには、コンテンツデータ記録用フォルダ内の各フォルダへのリンクが張られているようにした。そして、メニュー画面上で使用者によっていずれかのフォルダ選択ボタンが押下された場合には、そのフォルダ選択ボタンに対応したフォルダ内の、フォルダ名と同じ名前が付された静止画データや動画データを表示対象として特定するように設定されている例について説明した。この場合、使用者が静止画データや動画データを記録できる数は、コンテンツデータ記録用フォルダ内に作成されたフォルダの数に限定されてしまうことになる。しかしながら、使用者は、コンテンツデータ記録用フォルダ内のいずれかのフォルダを、そのフォルダと同じ名前を付した別フォルダであって、かつ別フォルダ内に該別フォルダと同じ名前を付した静止画データと動画データの少なくとも一方を記録したフォルダと入れ替えることができるようにしてもよい。これによって、使用者は、あらかじめ設定されているフォルダ数に限定されず、より多くの静止画データや動画データを記録することが可能となる。
【００６０】
また、使用者は、コンテンツデータ記録用フォルダ内のフォルダと同構成のフォルダセットを複数セット用意しておき、それらをコンテンツデータ記録用フォルダ内のフォルダと入れ替えることで、記録できる静止画データや動画データの数を増やすことができるようにしてもよい。すなわち、使用者は、図７に示したようなコンテンツデータ記録用フォルダ内のフォルダセットを複数用意し、各フォルダセットに含まれるそれぞれのフォルダ内に静止画データや動画データを記録しておき、コンテンツデータ記録用フォルダ内のフォルダセットを、メニュー画面から呼び出して表示させたい静止画データや動画データが記録されているフォルダセットに置き換えることにより、別のフォルダセット内に記録されているコンテンツデータを表示させることができる。例えば、図７に示したコンテンツデータ記録用フォルダ内のフォルダセットを５セット用意しておけば、最大で４５の静止画データと４５の動画データを記録しておくことができる。
【００６１】
（７）上述した実施の形態では、ＵＳＢメモリ等の記録媒体１０２ａに静止画データや動画データのコンテンツデータを記録しておく例について説明した。しかしながら、ＵＳＢメモリや各種メモリカード等の記録媒体は、一般的に、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記録装置と比べて記憶容量が少ない。また、大容量のＵＳＢメモリや各種メモリカード等の記録媒体は、価格が高いのが現状である。したがって、上述した実施の形態におけるコンテンツ表示装置では、ＵＳＢメモリ等の記録媒体１０２ａに記録されて提供されたランチャープログラムやコンテンツデータを、そのフォルダ構造を維持したまま、接続ＩＦ１０２を介して接続された外付けの記録装置、例えばＨＤＤやＳＳＤにコピーまたは移動することにより、より大容量のコンテンツデータを扱えるようにしてもよい。このように、記録媒体１０２ａから記録装置へランチャープログラムやコンテンツデータがコピーまたは移動された場合には、制御装置１０３は、接続ＩＦ１０２を介して接続された外付けの記録装置からランチャープログラムやコンテンツデータを読み出して、上述した実施の形態と同様の処理を行えばよい。また、ＵＳＢメモリ等の記録媒体１０２ａに記録されて提供されたランチャープログラムやコンテンツデータを、そのフォルダ構造を維持したまま、内部記録装置であるＨＤＤ１０４にコピーまたは移動するようにしてもよい。なお、ここでは、ＵＳＢメモリや各種メモリカード等のような記録メディアを記録媒体と呼び、ＨＤＤやＳＳＤ等のような記録媒体への書き込みや読み込みを行うドライブ装置を記録装置と呼んで、両者を区別する。
【００６２】
（８）上述した実施の形態では、コンテンツ表示装置１００は、モニタ１０５を備え、制御装置１０３は、図２に示したトップ画面、図３に示したメニュー画面、図４や図９に示した静止画表示画面、図５や図１０に示した動画表示画面をモニタ１０５に表示する例について説明した。しかしながら、制御装置１０３は、接続ＩＦ１０２を介して接続された外部表示装置に上記各画面を出力して表示するようにしてもよい。例えば、使用者は、接続ＩＦ１０２を介して外部のモニタやテレビをコンテンツ表示装置１００に接続する。この場合は、例えば公知のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルなどを用いて、コンテンツ表示装置１００と外部のモニタやテレビとを接続すればよい。また、制御装置１０３は、外部のモニタやテレビに静止画データや動画データを表示する場合には、コンテンツ表示装置１００にあらかじめインストールされている静止画表示プログラムや動画表示プログラムを起動させ、これらのプログラムにより表示される表示画面を全画面表示させることにより、静止画や動画を全画面表示するようにしてもよい。この場合、外部のモニタやテレビに静止画データを表示する際に起動させる静止画表示プログラムや、動画データを表示する際に起動させるや動画表示プログラムは、あらかじめ関連付けて記録しておけばよい。
【００６３】
（９）上述した実施の形態では、静止画データの拡張子はｊｐｇであり、動画データの拡張子はａｖｉである例について説明した。しかしながら、コンテンツデータの拡張子はこれらに限定されるものではない。例えば、静止画データは、拡張子がｂｍｐやｐｎｇとなる画像形式であってもよいし、動画データは拡張子がｍｏｖやｍｐｅｇとなる動画形式であってもよい。また、上記以外の拡張子となる画像形式または動画形式であってもよい。
【００６４】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００６５】
１００  コンテンツ表示装置、１０１  操作部材、１０２  接続ＩＦ、１０２ａ  記録媒体、１０３  制御装置、１０４  ＨＤＤ、１０５  モニタ
【図１】
2013152710.tif 000003
【図２】
2013152710.tif 000004
【図３】
2013152710.tif 000005
【図４】
2013152710.tif 000006
【図５】
2013152710.tif 000007
【図６】
2013152710.tif 000008
【図７】
2013152710.tif 000009
【図８】
2013152710.tif 000010
【図９】
2013152710.tif 000011
【図１０】
2013152710.tif 000012
【図１１】
2013152710.tif 000013